(57)【特許請求の範囲】
【請求項１】
無線基地局と同一の無線周波数帯でデータ送受信が可能な電池内蔵の無線部品を用いて無線ＬＡＮにおける無線基地局の適正位置を決定する方法であって、
無線移動端末をその移動範囲内の所望の位置に置き、かつ無線基地局の候補位置に前記無線部品を置いた状態で、前記無線移動端末から前記無線周波数帯で質問信号を発信し、その質問信号に対する前記無線部品からの応答信号の有無を監視し、応答の内容に応じて、前記候補位置が無線基地局の適正位置であるかを決定することを特徴とする無線ＬＡＮの基地局位置決定方法。
【請求項２】
前記質問信号として無線移動端末に固有の識別情報を含む質問信号を発信し、前記応答信号として質問信号を発信した無線移動端末の識別情報、無線部品自体の識別情報、受信した質問信号の受信レベルを含む応答信号を返信することを特徴とする請求項１に記載の無線ＬＡＮの基地局位置決定方法。
【請求項３】
無線ＬＡＮにおける無線基地局の適正位置を決定するために用いる電池内蔵の無線部品であって、
無線移動端末の移動範囲内の所望の位置から無線基地局と同一の無線周波数帯で発信された質問信号を受信し、受信した質問信号の受信レベル、受信した無線移動端末の識別情報を含む応答信号を前記無線周波数帯で返信する手段を備えることを特徴とする無線部品。
【請求項４】
無線基地局と同一の無線周波数帯でデータ送受信が可能な電池内蔵の無線部品を用いて無線ＬＡＮにおける無線基地局の適正位置を決定するために移動無線端末内で稼動するプログラムであって、
前記無線周波数帯で質問信号を無線基地局の候補位置に置かれた無線部品宛に発信し、その質問信号に対する前記無線部品からの応答信号を監視し、応答の内容に応じて、前記候補位置が無線基地局の適正位置であるかを評価する処理を含むことを特徴とするコンピュータが実行可能なプログラム。
【請求項５】
無線基地局と同一の無線周波数帯でデータ送受信が可能な電池内蔵の無線部品を用いて無線ＬＡＮにおける無線基地局の適正位置を決定する装置であって、
無線基地局の候補位置に前記無線部品を置いた状態で、前記無線周波数帯で質問信号を発信し、その質問信号に対する前記無線部品から質問信号を発信した無線移動端末の識別情報、無線部品自体の識別情報、受信した質問信号の受信レベルを含む応答信号を受信し、その応答の内容を表示する表示手段を備えることを特徴とする無線移動端末装置。
【発明の詳細な説明】
【０００１】
【発明の属する技術分野】
本発明は、無線ＬＡＮ（Ｌｏｃａｌ  Ａｒｅａ  Ｎｅｔｗｏｒｋ）方式の無線基地局の位置決定方法に係わり、詳しくは無線基地局のアンテナの設置箇所を最適化するための方法に関する。
【０００２】
【従来の技術】
構内無線ＬＡＮシステムでは無線基地局および無線移動端末の設置箇所が効率的な無線通信を行う上で大変重要な意味を持つ。すなわち、構内の什器やパーティション、人体などが電波の到達経路を遮り基地局に電波が到達できない他、物体による反射波・回折波などの遅延波と信号波が干渉しあうことによって発生するフェージングにより、通信品質が劣化し、信号誤り率が増大するという問題がある。これは高周波数・広帯域になるほど強い傾向にある。
【０００３】
この問題を解決するために、構内環境を計算機上でシミュレーションする技術がある。この技術によれば、構内の物体の位置、壁面の反射特性、アンテナ特性などを組み込み、構内の電波伝搬特性を事前に予測することが可能である。この電波伝搬特性から、送受信状態の良い地点を選べば、最適な基地局の設置箇所を割り出すがことができる。
また、従来、基地局アンテナ設置に関する技術として特開平５−７５３１９号公報に記載のものが知られている。
特開平５−７５３１９号公報に記載のものは、無線基地局装置の送受信機能の試験に関するものである。無線基地局の基地局アンテナ構成の内部に少なくとも１基の微小アンテナで構成した試験用アンテナを設ける。なおかつ試験用アンテナと試験装置との間に通過形抵抗減衰器を設けることにより、微小アンテナを用いたことによるインピーダンス特性の劣化を抑える。これにより、基地局アンテナ装置を大型化させることなく、試験用アンテナ装置を組み込み、伝搬損失の測定を経済的に行うことが可能になる。
【０００４】
【発明が解決しようとする問題】
構内無線ＬＡＮシステムはオフィスや工場等の大規模なものだけではなく、家庭内等の個人レベルでの使用も少なくない。
しかし、上記の従来の電波伝搬シミュレーションは業務用での使用を主眼としており、家庭で購入するには高価なものになっている。また、従来の電波伝搬シミュレーションは反射波の存在などを計算するため、物体の位置や壁面の材質など、構内の全ての間取り情報を入力せねばならない。
また、従来の電波伝搬シミュレーションにて最適と予測された箇所であっても必ずしも受信状態が良いとは限らない。実環境では人物の移動など予測不可能な環境の変化が起きる。また、アンテナの送信電力の変化、基地局の設置方向と電波偏波方向の不一致など、シミュレーションと実環境が必ずしも整合するわけではない。また、シミュレーションで最適とされた箇所から何らかの理由で基地局アンテナを移動させなければならなくなった場合、上記の作業を繰り返し行わなければならない。
【０００５】
一方、特開平５−７５３１９号公報に記載の技術は、基地局アンテナ装置及び試験用アンテナ装置に電源供給が必要である。このため、設置には配線が必要となり、最適な基地局設置個所を探索している最中に基地局を移動させる必要が生じた場合、新たに電源の配線をやり直さねばならないという問題がある。
【０００６】
本発明はこのような問題を解決するためになされたものであり、その目的は、外部からの電源供給が不要で、かつ無線移動端末がどの位置にいれば最適な通信が出来るのかを、実環境において容易に評価し、無線基地局の適正な位置を決定することができる無線ＬＡＮの基地局決定方法および該方法の実施に使用する無線部品並びにコンピュータプログラムを提供することにある。
【０００７】
【課題を解決するための手段】
上記目的を達成するために、本発明の方法は、無線基地局と同一の無線周波数帯でデータ送受信が可能な電池内蔵の無線部品を用いて無線ＬＡＮにおける無線基地局の適正位置を決定する方法であって、無線移動端末をその移動範囲内の所望の位置に置き、かつ無線基地局の候補位置に前記無線部品を置いた状態で、前記無線移動端末から前記無線周波数帯で質問信号を発信し、その質問信号に対する前記無線部品からの応答信号の有無を監視し、応答の内容に応じて、前記候補位置が無線基地局の適正位置であるかを決定することを特徴とする。
また、前記質問信号として無線移動端末に固有の識別情報を含む質問信号を発信し、前記応答信号として質問信号を発信した無線移動端末の識別情報、無線部品自体の識別情報、受信した質問信号の受信レベルを含む応答信号を返信することを特徴とする。
【０００８】
また、無線ＬＡＮにおける無線基地局の適正位置を決定するために用いる電池内蔵の無線部品であって、無線移動端末の移動範囲内の所望の位置から無線基地局と同一の無線周波数帯で発信された質問信号を受信し、受信した質問信号の受信レベル、受信した無線移動端末の識別情報を含む応答信号を前記無線周波数帯で返信する手段を備えることを特徴とする。
【０００９】
また、無線基地局と同一の無線周波数帯でデータ送受信が可能な電池内蔵の無線部品を用いて無線ＬＡＮにおける無線基地局の適正位置を決定するために移動無線端末内で稼動するプログラムであって、前記無線周波数帯で質問信号を無線基地局の候補位置に置かれた無線部品宛に発信し、その質問信号に対する前記無線部品からの応答信号を監視し、応答の内容に応じて、前記候補位置が無線基地局の適正位置であるかを評価する処理を含むことを特徴とする。
また、本発明の移動端末装置は、無線基地局と同一の無線周波数帯でデータ送受信が可能な電池内蔵の無線部品を用いて無線ＬＡＮにおける無線基地局の適正位置を決定する装置であって、無線基地局の候補位置に前記無線部品を置いた状態で、前記無線周波数帯で質問信号を発信し、その質問信号に対する前記無線部品から質問信号を発信した無線移動端末の識別情報、無線部品自体の識別情報、受信した質問信号の受信レベルを含む応答信号を受信し、その応答の内容を表示する表示手段を備えることを特徴とする。
【００１０】
【発明の実施の形態】
以下、本発明を実施する場合の一形態を図面に基づいて具体的に説明する。
図１は、本発明の実施形態を示す概念図である。本発明は、無線ＬＡＮの基地局１１と、この無線ＬＡＮの基地局１１の設置予定個所に少なくとも１基が設置されている無線タグ（無線部品）１２と、複数の無線ＬＡＮ端末（無線移動端末）１３と、無線ＬＡＮ端末１３が無線ＬＡＮ通信を行うためのアンテナ装置１４で構成されている。
各無線ＬＡＮ端末１３間は有線で通信できるように接続されておらず、また基地局１１は配線前であり、外部からの電源が供給されていない状態であるとする。
【００１１】
無線タグ１２は無線ＬＡＮと同一周波数帯の電波を送受信することが可能である。無線タグ１２は電池が内蔵されており、外部電源供給を必要としない。無線タグ１２は単体での使用でも、無線ＬＡＮの基地局１１に内蔵されていても同等に機能するものとする。
無線タグ１２のＬＳＩのメモリには予めタグＩＤが記録されている。各無線ＬＡＮ端末１３ではアンテナ装置１４内に記録されたＩＤを端末ＩＤとして用いる。各ＩＤはそれぞれユニークな識別情報であり、変更できないよう構成されているものとする。
【００１２】
図２は図１の構成下での本発明の動作を説明する図である。無線タグ１２は電波送受信アンテナ装置１２１と、演算処理装置１２２からなり、演算処理装置１２２は信号送受信処理１２３を有する。
無線ＬＡＮ端末１３は電波送受信アンテナ装置１３１と、演算処理装置１３２からなり、演算処理装置１３２は信号送受信処理１３３と、端末位置評価プログラム１３４を有する。
無線ＬＡＮ端末１３の電波送受信アンテナ装置１３１からは質問信号２１０を送信することができ、無線タグ１２の電波送受信アンテナ装置１２１からは応答信号２１１を送信することが可能である。これらの信号２１０，２１１は無線ＬＡＮで用いる周波数と同一の周波数帯を用いる。
【００１３】
次に、図２を用いて設置個所の評価を行う手順を説明する。
まず、設置個所の評価を行う準備として、無線タグ１２単体もしくは無線タグ１２を内蔵した無線ＬＡＮの基地局１１を設置予定個所（候補位置）に置く。また、無線ＬＡＮ端末１３の移動範囲内の設置予定個所に置く。無線タグ単体１２および無線タグ１２を内蔵した無線ＬＡＮの基地局１１には電源の配線がされておらず、自由に移動可能であるとする。これにより、無線タグ１２と無線ＬＡＮ端末１３を自由に移動させながら様々な地点で評価を行うことが可能である。
無線タグ単体１２および無線タグ１２を内蔵した無線ＬＡＮの基地局１１を候補位置に置き、かつ無線ＬＡＮ端末を設置予定箇所に置いた状態で、演算処理装置１３２、１２２を起動状態とし、信号送受信処理１３３、端末位置評価プログラム１３４、信号送受信処理１２３を実行させる。
【００１４】
すると、無線ＬＡＮ端末１３の信号送受信処理１３３は質問信号２１０を無線ＬＡＮの上り回線で用いる周波数帯にのせて送信する。質問信号２１０を受信した無線タグ１２は質問信号２１０に応じた応答信号２１１を信号送受信処理１２３で生成し、無線ＬＡＮの下り回線で用いる周波数帯にのせて送信する。
応答信号２１１を受信した無線ＬＡＮ端末１３は、応答信号２１１の内容や送受信状態をもって通信状態を評価する。配置された環境によって応答信号２１１を受信できない場合は、一定時間受信できなかったという結果をもって無線タグ１２の現在の位置が設置不適位置であると評価する。
【００１５】
次に、各信号の内容について説明する。
図３に質問信号２１０と応答信号２１１の内容の一例を示す。同図（ａ）が質問信号２１０、（ｂ）が応答信号２１１の内容を表す。（ａ）に示す質問信号２１０には通信の同期を取るための同期信号と、質問信号を送信した無線ＬＡＮ端末１３を識別する端末識別ＩＤと、前述の情報の誤りを検出し訂正する誤り訂正符号が含まれている。
（ｂ）に示す応答信号２１１には、通信の同期を取るための同期信号と、質問信号２１０を送信した無線ＬＡＮ端末１３を識別する端末識別ＩＤと、応答信号２１１を送信した無線タグ１２を識別する無線タグ識別ＩＤと、無線タグ１２で受信した電波の受信レベルと、前述の情報の誤りを検出し訂正する誤り訂正符号と、ＢＥＲ（信号誤り率）判定用符号が含まれている。ＢＥＲ判定用符号は予め無線タグ１２と無線ＬＡＮ端末１３に同じものが記録されており、これを無線タグ１２から送信し、無線ＬＡＮ端末１３に記録されている符号と比較することにより、通信符号の誤り率を測定することが出来る。
【００１６】
次に、無線タグ１２の信号送受信処理１２３について説明する。
図４に無線タグ１２の動作をフローチャートで示す。無線タグ１２は常に電波を監視し、受信できる状態にある。そこに無線ＬＡＮ端末１３からの質問信号２１０の同期信号を受信すると（ステップ４１）、続く端末識別ＩＤを読み込む。次に応答信号２１１の作成に移る。質問信号２１０に記されてあった端末識別ＩＤ、無線タグ１２を識別する無線タグ識別ＩＤ、無線タグ１２での電波の受信レベル、誤り訂正符号、無線タグ１２に予め記録されているＢＥＲ判定用符号を応答信号２１１の情報として付加する（ステップ４２）。
【００１７】
次に、ステップ４２で作成された応答信号２１１を送信するわけであるが、無線タグ１２と信号を受信する無線ＬＡＮ端末１３とは常に同じ距離にあるとは限らないため、送信レベルを調節する。具体的には、質問信号２１０の受信レベルが低い場合は応答信号２１１の送信レベルを高くし、無線ＬＡＮ端末１３で容易に受信が出来るようにする（ステップ４３）。このステップ４３では実際の無線ＬＡＮ基地局１１にも同様の機能が備わっているものとし、ＢＥＲの測定に不備がないものとする。
次に、ステップ４３で決められた送信レベルで応答信号２１１を一定時間にわたり送信し（ステップ４４）、一定時間経過後、送信を終了する。
【００１８】
次に、端末位置評価プログラム１３４について説明する。
図５に端末位置評価プログラム１３４の概略をフローチャートで示す。
端末位置評価プログラム１３４は信号送受信処理１２３を含む。まず利用者は少なくても１基の無線タグ１２を基地局１１の設置が予定されている個所に仮設置する。次に利用する複数の無線ＬＡＮ端末１３を設置が予定される個所に置く。各無線ＬＡＮ端末１３には同一のプログラム１３４が内蔵されているとする。それぞれの無線ＬＡＮ端末１３上から評価対象となる無線タグ１２を選択する（ステップ５１）。選択する無線タグ１２は複数でもかまわない。選択された無線タグ群から位置評価を行う無線タグ１２の無線タグ識別ＩＤを設定する（ステップ５２）。この無線タグ識別ＩＤに対し、信号送受信処理１３３と端末位置評価プログラム１３４による評価処理を行う（ステップ５３）。
【００１９】
信号送受信時に遮断や人物の移動などがあった場合、１回だけの送受信だけで伝送状態を判断することは出来ないため、ここでは信号送受信処理１３３、端末位置評価処理を複数回繰り返して評価する。これら処理を行った回数をカウントし、予め設定した規程回数に到達したか判定する（ステップ５４）。規程回数以下ならば、一連の処理を繰り返す。規程回数を満たしていれば全ての無線タグ１２について評価を行ったか判定し（ステップ５５）、行っていなければステップ５２に戻り、次の無線タグの無線タグ識別ＩＤを設定する。全ての無線タグ１２について評価を行った後、データ保存（ステップ５６）を行い、無線ＬＡＮ端末１３４の表示部に表示する（ステップ５７）。
【００２０】
このように無線ＬＡＮ端末１３の設置予定個所について複数の無線タグ１２との送受信状態に関する情報を収集することができ、その中から通信に最適な無線タグ１２を抽出することにより、この無線タグ１２の設置個所を基地局１１の適正な設置位置として決定することができる。
なお、無線ＬＡＮ端末１３と無線タグ１２をそれぞれ複数使用する例を説明したが、例えば家庭内の無線ＬＡＮでは、１台の無線ＬＡＮ端末と１つの無線タグを用い、同様の質問信号と応答信号のやりとりを行うことによって、無線タグ１２の適正位置を決定することができる。
【００２１】
次に無線ＬＡＮ端末１３の信号送受信処理１３３について説明する
図６に信号送受信処理１３３の動作をフローチャートで示す。
無線ＬＡＮ端末１３の信号送受信処理１３３は、これから送信しようとしている質問信号２１０の電波の送信レベルと送信時刻を記録し（ステップ６１，６２）質問信号２１０に端末識別ＩＤを付加し送信する（ステップ６３）。一定時間の間、受信動作を行うためにタイマを用いるのでこれを初期化し（ステップ６４）、受信動作を行う（ステップ６５）。その後、応答信号２１１を受信したか否かの判断を行う（ステップ６６）。受信動作（ステップ６５）では応答信号２１１の周波数を監視しているが、混信等で同期信号を抽出できなかった場合は「受信なし」として判断する。受信していない場合、タイマを更新し（ステップ６８）、送信時間から一定時間経過したかをタイマ値から判断する（ステップ６９）。一定時間経過した場合、電波の送受信ができない環境であると判断し（ステップ６１０）、処理を終了する。
経過していなければ受信動作６５に戻る。
【００２２】
受信動作（ステップ６５）で応答信号２１１を受信したと判断された場合、応答信号２１１から端末識別ＩＤを読み取り、その端末識別ＩＤが自分の端末の識別ＩＤと一致するか判定する（ステップ６７）。他の端末ＩＤであればタイマ更新動作（ステップ６８）に進み、端末ＩＤが一致すれば受信と判断し（ステップ６１１）、処理を終了する。
端末識別ＩＤを質問信号２１０に含ませることにより、複数の無線ＬＡＮ端末１３が同時に無線タグ１２との通信状態を判定することができる。
【００２３】
次に、端末位置評価プログラム１３４の処理について説明する。
図７に端末位置評価プログラム１３４の動作をフローチャートで示す。
まず、信号送受信処理を行い、自端末から発信した質問信号２１０に対する応答信号２１１を受信したか否かを判断し（ステップ７１）、受信したと判断された場合、応答信号２１１に記録されている受信レベルおよび受信時刻を記録する（ステップ７２，７３）。図６のステップ６１で記録された送信レベルとステップ７２で記録された受信レベルから、電波の減衰率を算出する（ステップ７４）。また、図６のステップ６２で記録された送信時刻とステップ７３で記録された受信時刻から、無線ＬＡＮ端末１３と無線タグ１２間の伝送時間を算出する（ステップ７５）。次に、記録されているＢＥＲ判定用符号と応答信号２１１内に含まれるＢＥＲ判定用符号とを比較することより、ＢＥＲを算出する（ステップ７６）。次に、応答信号２１１に記されている無線タグ識別ＩＤと、ステップ７４、７５、７６で記録された減衰率、伝送時間、ＢＥＲを記録する（ステップ７７）。
一方、ステップ７１で受信不可と判断された場合、受信不可であるという情報を記録する（ステップ７８）。
【００２４】
図８に評価データ記録用のレコードの構造の一例を示す。
ここでは、無線タグＩＤ（１，２、…）ごとにそれに対応する減衰率、伝送時間、ＢＥＲが規定回数分記録されている。受信不可であるデータに関しては、受信不可であったという情報が書き込まれる。
以上の処理により、配線前の状態から無線ＬＡＮシステムと同等の環境で、無線ＬＡＮ端末１３の設置個所の通信状態を評価することが可能になる。
【００２５】
図９に整理後のデータの画面表示例を示す。無線タグ１２が複数配置されている場合、応答信号２１１に記されている無線タグ識別ＩＤによってデータを分けて評価できるように表示している。この表示例では、減衰と伝送時間とＢＥＲの平均を表示している。受信できなかった無線タグ１２の欄にはその旨（送受信不可）を表示する。
なお、外部記憶媒体に記憶したデータを呼び出し、複数の地点で計測したデータを比較・検討することもできる。これによって、利用者が複数の無線ＬＡＮ基地局からの電波干渉を判断することも可能となる。
【００２６】
従って、例えば図１０に示すような間取りの室内において、Ａ，Ｂで示す箇所で無線ＬＡＮ端末を使用する予定である場合、Ｐ１で示す場所に無線タグ１２を仮設し、Ａ地点においた無線ＬＡＮ端末１３との間で通信状態を評価する。この後、無線ＬＡＮ端末１３をＢ地点に置き、Ｐ１点の無線タグ１２との間で通信状態を評価する。Ａ地点およびＢ地点とも通信状態が良好な場合は、Ｐ１点にのみ正規の無線ＬＡＮ基地局を設置すればよい。しかし、Ｂ地点での通信状態が壁１０１などの障害物が原因で良好でなかった場合には、Ｂ地点との間で通信が良好に行える新たな位置Ｐ２を基地局の候補地に選定し、ここで再度通信状態を評価し、良好ならばＰ２点にも基地局を設置することになる。
従って、通信状態が良好でない端末位置があった場合にのみ基地局を追加購入すればよいので、無駄な経済的負担を抑えることが可能になる。
【００２７】
以上のように、本実施形態によれば、無線ＬＡＮの基地局、無線ＬＡＮ端末の設置個所を評価するために単体の無線タグもしくは無線ＬＡＮ基地局に内蔵された無線タグに処理能力を持たせることにより、無線ＬＡＮ基地局を自由に移動させることができ、配線前の状態から実際と同等の環境で、複数の無線ＬＡＮ基地局、無線ＬＡＮ端末の設置予定個所での減衰率、伝送時間、ＢＥＲの測定といった通信状態の評価が可能である。
また、複数の無線ＬＡＮ基地局を設置することを想定した評価が可能であり、無線ＬＡＮ端末が設置された位置で複数の無線ＬＡＮ基地局による電波の干渉がどれだけ起こっているかなどを評価することが可能である。この評価を見ながら無線ＬＡＮ基地局もしくは無線ＬＡＮ端末を移動させ、通信に最適な地点を探ることができる。
また、評価個所ごとにデータを保持するので、複数の地点での評価を同時に比較することができ、設置個所の検討する際の能率向上に役立つ。
【００２８】
なお、無線タグ１２は図４のフローチャートに示したような動作を行う無線部品として提供することができる。また、信号送受信処理１３３および端末位置評価プログラム１３４は図５〜図７のフローチャートで示したような処理を行うコンピュータプログラムとして提供することができる。
また、上記説明では、無線タグの位置を変えながら基地局の位置を選定する場合について説明したが、基地局が既に固定されている場合においては、その固定された基地局との間で正常に通信可能な移動端末の位置を選定する場合にも適用でき、さらには既存の無線基地局と既存の無線ＬＡＮ端末との通信状態を評価する場合にも適用できることは言うまでもない。
また、無線基地局本体とアンテナとが離れているものについては、アンテナの位置を選定する場合に適用するものである。
また、端末位置評価プログラム１３４で評価する内容については、無線タグ１２との間の応答信号の有無だけであってもよく、これ以外は要求される評価精度に応じて減衰率等のデータを求めるようにすることができる。
【００２９】
【発明の効果】
以上に説明したように、本発明によれば、外部からの電源供給が不要で、かつ無線移動端末がどの位置にいれば最適な通信が出来るのかを、実環境において容易に評価し、無線ＬＡＮ基地局の適正な位置を決定することができる。
【図面の簡単な説明】
【図１】本発明の一実施の形態に係わる無線ＬＡＮシステムの構成図である。
【図２】無線タグと無線ＬＡＮ端末の動作を示す構成図である。
【図３】質問信号および応答信号の内容の例を示す図である。
【図４】無線タグによる信号送受信処理の手順の概要を示すフローチャートである。
【図５】無線ＬＡＮ端末による端末位置評価処理の概要を示すフローチャートである。
【図６】無線ＬＡＮ端末による信号送受信処理の手順の概要を示すフローチャートである。
【図７】無線ＬＡＮ端末による端末位置評価処理の手順を示すフローチャートである。
【図８】端末位置評価用データを記録するレコードの構成例を示す図である。
【図９】端末位置の評価結果を表した画面例を示す図である。
【図１０】無線ＬＡＮ基地局を設定しようとしている室内の間取りの一例を示す図である。
【符号の説明】
１１…無線ＬＡＮの基地局、１２…無線タグ、１３…無線ＬＡＮ端末、１４…無線ＬＡＮアンテナ装置、１２３…信号送受信処理、１３３…信号送受信処理、１３４…端末位置評価プログラム。
【図１】
0003632912.tif 000002
【図２】
0003632912.tif 000003
【図３】
0003632912.tif 000004
【図４】
0003632912.tif 000005
【図５】
0003632912.tif 000006
【図６】
0003632912.tif 000007
【図７】
0003632912.tif 000008
【図８】
0003632912.tif 000009
【図９】
0003632912.tif 000010
【図１０】
0003632912.tif 000011